(57)【特許請求の範囲】
【請求項１】
音楽再生機能を有する携帯電話機であって、
記録媒体に記録されている音楽データを再生する再生手段と、
外部からの着信を検出する着信検出手段と、
着信音を出力する着信音出力手段と、
前記再生手段が音楽データを再生中に前記着信検出手段が着信を検出したときには、再生中の音楽データをフェードアウト処理した後にその再生を停止するよう前記再生手段に指示するとともに、着信音をフェードイン処理しながら出力するよう前記着信音出力手段に指示する停止手段と、
２以上の再生再開方法を示す情報を格納しているレジューム方法格納手段と、
前記停止手段によって再生が停止された後の通話終了後に、前記レジューム方法格納手段に格納されている再生再開方法の１つを選択し、選択された再生再開方法に基づいて音楽データの再生開始位置を特定して、特定された再生開始位置から音楽データを再生することを前記再生手段に指示する制御手段と、
ユーザから指定された前記再生再開方法を記憶する再生再開方法記憶手段とを備え、
前記制御手段は、ユーザから指定された前記再生再開方法に基づいて、音楽データを再生することを前記再生手段に指示し、
前記再生再開方法には、（i）停止時に再生されていた音楽データの先頭から、その音楽データを再生する方法、（ii）音楽データの再生が停止された箇所からその音楽データを再生する方法、及び、（iii）音楽データの再生が停止された箇所から所定時間分音楽データを巻き戻し、その位置から音楽データの再生を再開する方法の少なくとも１つを含む
ことを特徴とする携帯電話機。
【請求項２】
前記レジューム方法格納手段はさらに、
音楽的に意味のある１つ以上の区切り箇所を示すレジューム位置情報を音楽データごとに格納するレジューム位置情報格納部を備え、
前記再生再開方法の１つは、停止時に再生されていた再生箇所の直前にある箇所であって前記レジューム位置情報に示される箇所から、停止時に再生されていた音楽データを再生する方法である
ことを特徴とする請求項１記載の携帯電話機。
【請求項３】
音楽再生機能を有する携帯電話機による音楽データ再生方法であって、
前記携帯電話機は、
１つ以上の再生再開方法を示す情報を格納しているレジューム方法格納手段と、
ユーザから指定された前記再生再開方法を記憶する再生再開方法記憶手段とを備え、
前記音楽データ再生方法は、
記録媒体に記録されている音楽データを再生する再生ステップと、
外部からの着信を検出する着信検出ステップと、
着信音を出力する着信音出力ステップと、
前記再生ステップで音楽データを再生中に前記着信検出ステップで着信を検出したときには、再生中の音楽データをフェードアウト処理した後にその再生を停止させるとともに、着信音をフェードイン処理しながら出力させる停止ステップと、
前記停止ステップで再生が停止された後の通話終了後に、前記レジューム方法格納手段に格納されている再生再開方法の１つを選択し、選択された再生再開方法に基づいて音楽データの再生開始位置を特定して、特定された再生開始位置から音楽データを再生するように制御する制御ステップとを含み、
前記制御ステップでは、ユーザから指定された前記再生再開方法に基づいて、音楽データを再生するように制御し、
前記再生再開方法には、（１）停止時に再生されていた音楽データの先頭から、その音楽データを再生する方法、（２）音楽データの再生が停止された箇所からその音楽データを再生する方法、及び、（３）音楽データの再生が停止された箇所から所定時間分音楽データを巻き戻し、その位置から音楽データの再生を再開する方法の少なくとも１つを含む
ことを特徴とする音楽データ再生方法。
【請求項４】
請求項３記載の各ステップをコンピュータに実行させる
ことを特徴とするプログラム。
【発明の詳細な説明】
【０００１】
【発明の属する技術分野】
本発明は、音楽再生機能を有する携帯電話機に関し、特に、音楽データ再生中に着信があったときの着信時、通話中および通話終了後の動作を特徴とする携帯電話機に関する。
【０００２】
【従来の技術】
近年、メモリの小型化、大容量化は目覚しいものがある。また、音声圧縮技術の向上によって、例えばＭＰ３（ＭＰＥＧ１  Ａｕｄｉｏ  Ｌａｙｅｒ  ３）のように、ＬＰＣＭ（Ｌｉｎｅａｒ  Ｐｕｌｓｅ  Ｃｏｄｅ  Ｍｏｄｕｌａｔｉｏｎ）の原音に対し、１０分の１程度に圧縮してもそれほど品質を劣化させず、鑑賞に耐えうる圧縮方式が提案されている。これらの技術の進展によって、例えば、切手サイズほどの大きさの半導体メモリに対し、アルバム１枚分の音楽データを記録することが実現可能となっている。
【０００３】
一方、音楽の流通という観点からは、従来のカセットテープやＣＤに代表されるパッケージメディアによる流通に加え、インターネット等を利用して、音楽データを直接ダウンロードする形態（以後、電子音楽配信と称する）も普及の兆しを見せている。
【０００４】
電子音楽配信においては、前述のように、パーソナルコンピュータＰＣを用いてインターネットを通じて音楽データをダウンロードする形態が一般的である。しかしながら、ＰＣは初期投資のコストがかかるために、ＰＣ−インターネット以外の他の配信チャネルが検討されており、その中でも携帯電話機を用いて音楽データをダウンロードする形態が注目されている。携帯電話機は、現在は通信速度も遅く、通信費用が割高であるという問題があるが、将来的な通信技術の向上により、これらの障害が克服された場合には、非常に有力な配信チャネルのひとつになりうると考えられている。これは、携帯電話機の普及率が非常に高いことと、電子音楽配信に必要な機材を揃えるのにＰＣほどのコストが要求されないことなどによる。
【０００５】
図１４は、電子音楽配信を利用した音楽データの取得／再生システムの一例を示す図である。この音楽データの取得／再生システムは、携帯電話機１１０１、音楽再生プレーヤ１１０２および記録媒体１１０３から構成される。携帯電話機１１０１は、後述の記録媒体１１０３を本体に実装する記録媒体スロットを備え、インターネットを通じて取得した音楽データを記録媒体１１０３に記録する。音楽再生プレーヤ１１０２は、記録媒体１１０３を実装する記録媒体スロットを備え、記録媒体１１０３に記録されている音楽データを読み出して再生する。記録媒体１１０３は、半導体メモリなどの可搬型のメモリであって、携帯電話機１１０１によって記録された音楽データを保持する。
【０００６】
図１４に示したように、音楽データを携帯電話機でダウンロードして、音楽を鑑賞することを考慮した場合、ダウンロードした音楽データを、いったん可搬型の記録媒体１１０３に記録した後に、その記録媒体１１０３を携帯電話機１１０１から取り外し、その後別の音楽再生プレーヤ１１０２に装着し再生を行う、というケースが考えられる。しかしながら、例えば通勤、通学時に携帯電話機と音楽再生機器の２つを持ち歩くことは、カバン等のスペースを占有することを意味するため、音楽再生機能を有する携帯電話機、すなわち、携帯電話機と音楽再生機器との両方の機能を備える一体型の複合機（以後、音楽再生機能つき携帯電話機という。）が望まれている。
【０００７】
【発明が解決しようとする課題】
このような音楽再生機能つき携帯電話は、あくまでもベースが電話機であるために、音楽再生中に着信があったときの処理について、通常の音楽再生機器では必要のない処理を行う必要が出てくる。例えば、音楽再生機能つき携帯電話を用いて音楽鑑賞中に、着信があったと想定すると、音楽再生機能つき携帯電話には、以下の問題点あるいは課題があることが分かる。
【０００８】
（１）着信時の処理
通常の携帯電話機の場合、主にスピーカから出力される音（着信音）により、着信をユーザに伝える。しかしながら音楽再生機能つき携帯電話の場合、例えばヘッドホンで音楽を鑑賞中のユーザに対しても、着信音を確実に伝える必要がある。特に、いわゆる着メロ（着信メロディ）の場合は、鑑賞中の音楽と着信時に再生する音楽とを明確に区別して確実にユーザに伝えなければならない。このような問題に対し、「特開平９−３２１８４４号公報」では、音楽を再生中に着信があった場合において、着信音をユーザに確実に伝えるため、ヘッドホンの出力を音楽の再生音から着信音に切り替えて出力したり、音楽の再生音に着信音をかぶせて出力したりする携帯型通信装置が開示されている。
【０００９】
しかしながらこの場合、ユーザからみると、再生中の音楽が着信というユーザの予測しえないタイミングで、突然、着信音に切り替わってしまったり、再生中の音楽に、唐突に着信音がかぶせられたりすることになり、あまり快適とはいえないという問題点がある。
また、上記のような着信時以外の処理についても、以下のような場合に対応することができれば好ましい。
【００１０】
（２）通話中の処理
通話中は、一般的に音楽データの再生を停止することが好ましいといえるが、例えば電話をかけてきた相手が家族のように親しい人である場合には、必ずしも再生中の音楽を停止する必要はないと考えられる。
【００１１】
（３）再生の再開
一般に、音楽再生プレーヤは、音楽の再生を一時停止していた場合、再生を停止した位置から音楽の再生を再開する（レジューム）という動作を行う。このような専用の音楽再生プレーヤと比べると、音楽再生機能つき携帯電話の場合は、着信によってユーザの意思とは関係なく音楽の再生が中断される、つまり、強制的に再生を中断させられるという点で、ユーザの要望が大きく異なることが考えられる。
【００１２】
そこで本発明の目的は、上記従来の問題点に鑑み、音楽を再生中に着信があったときの問題点についてのみならず、通話中の音楽再生処理および通話終了後の再生再開処理について様々な形態を定義することにより、ユーザに不快感を与えることなく、ユーザの使い勝手を向上させた音楽再生機能つき携帯電話を提供することである。
【００１３】
より具体的には、以下の３つを目的とする。つまり、本発明の第１の目的は、音楽の再生中に着信があった場合に、再生中の音楽を突然に中断してしまうことなく、かつ、着信したことを確実にユーザに知らせることができる音楽再生機能つき携帯電話を提供することである。
【００１４】
また、本発明の第２の目的は、通話中にＢＧＭとして音楽を再生したり、電話をかけてきた発信者に対応させて予め設定しておいた音楽を通話中にＢＧＭとして再生したりすることができる快適な音楽再生機能つき携帯電話を提供することである。
【００１５】
さらに、本発明の第３の目的は、着信時に再生中の音楽を停止した場合に、着信のあった箇所よりも所定区間だけ前に戻った位置から再生を開始したり、曲の先頭へ巻き戻して再生を開始したりするなど、専用の音楽再生プレーヤと同様、あるいは、それ以上の多様なレジューム機能を有する高機能な音楽再生機能つき携帯電話を提供することである。
【００１６】
【課題を解決するための手段】
上記第１の目的を達成するために、本発明の携帯電話機は、音楽再生機能を有する携帯電話機であって、記録媒体に記録されている音楽データを再生する再生手段と、外部からの着信を検出する着信検出手段と、着信音を出力する着信音出力手段と、前記再生手段が音楽データを再生中に前記着信検出手段が着信を検出したときには、再生中の音楽データをフェードアウト処理するよう前記再生手段に指示するとともに、着信音をフェードイン処理しながら出力するよう前記着信音出力手段に指示する制御手段とを備える。本発明の上記携帯電話機において、制御手段は、前記再生手段が記録媒体に記録されている音楽データを再生中に前記着信検出手段が外部からの着信を検出したときには、再生中の音楽データをフェードアウト処理するよう前記再生手段に指示するとともに、着信音をフェードイン処理しながら出力するよう前記着信音出力手段に指示する。
【００１７】
また、上記第２の目的を達成するために、本発明の携帯電話機は、音楽再生機能を有する携帯電話機であって、記録媒体に記録されている音楽データを再生する再生手段と、通話音の出力と並行して、音楽データをバックグラウンドミュージックとして再生するよう前記再生手段に指示するＢＧＭ手段とを備える。本発明の上記携帯電話機において、ＢＧＭ手段は、通話音の出力と並行して、記録媒体に記録されている音楽データをバックグラウンドミュージックとして再生するよう前記再生手段に指示する。
【００１８】
また、上記第３の目的と達成するために、本発明の携帯電話機は、音楽再生機能を有する携帯電話機であって、記録媒体に記録されている音楽データを再生する再生手段と、前記再生手段の再生を一時停止する停止手段と、前記停止手段によって再生が停止された後の通話終了後に、所定の再生再開方法に基づいて、音楽データを再生することを前記再生手段に指示する制御手段とを備える。つまり、停止手段は前記再生手段の再生を一時停止し、制御手段は前記停止手段によって再生が停止された後の通話終了後に、所定の再生再開方法に基づいて、音楽データを再生することを前記再生手段に指示する。
【００１９】
また、本発明は、上記携帯電話機が備える特徴的な手段をステップとする音楽データ再生方法として実現したり、そのようなステップを含むプログラムとして実現したりすることもできる。そして、そのようなプログラムをＣＤ−ＲＯＭ等の記録媒体やインターネット等の通信網を介して流通させることもできるのは言うまでもない。
【００２０】
【発明の実施の形態】
以下、本発明の一実施の形態の音楽再生機能つき携帯電話機の構成について、図面を参照しながら詳細に説明する。なお、以下本実施の形態では、再生対象となるデータを音楽データに限定して説明を行うが、本発明はこれに限定されるものではなく、写真などの画像データ、動画データおよびテキストデータと音楽データとの組み合わせなどであってもよい。
【００２１】
図１は、本発明の音楽再生機能つき携帯電話機１００の外観を示す図である。本音楽再生機能つき携帯電話１００は、典型的には携帯電話機とオーディオ再生プレーヤの複合機であって、電話機と並行してヘッドホンステレオとして使用可能である。音楽再生機能つき携帯電話１００は、大きくは、本体１、コントローラ２、ヘッドホン３および音楽データ記録媒体１０５から構成される。本体１は、液晶表示パネル４、テンキー部５、スピーカ６、マイクロホン７、記録媒体スロット８、音楽再生コントロールキー部９、電話コントロールキー部１０およびアンテナ１１などを備える。コントローラ２は、液晶表示パネル１２および音楽再生コントロールキー部１３などを備える。ヘッドホン３は、ユーザが耳に装着するイヤーパッド部から音楽データの再生音、着信音および通話相手の音声などを出力するスピーカである。
【００２２】
液晶表示パネル４は、例えば、ユーザが後述のテンキー部５を操作して入力した電話番号、着信時の発信者の電話番号、ユーザが登録した電話帳データ、各種機能の設定内容、メモ、電子メールの内容およびインターネットのホームページなどの携帯電話に対応した表示画面と再生中の音楽データの曲名、音楽データの再生順序および音楽データの再生モードなどの音楽再生プレーヤに対応した表示画面とを表示する。
【００２３】
テンキー部５は、ユーザが電話番号や電子メールの文字などを入力したり、音楽データの再生モードを設定したりするための数字、文字、記号およびカーソル移動などのキー入力部である。スピーカ６は、音楽データの再生音、着信音および通話相手の音声などを出力する。マイクロホン７は、ユーザの音声を入力する。
【００２４】
記録媒体スロット８は、音楽データ記録媒体１０５を本体１に接続するための挿入口である。音楽再生コントロールキー部９は、音楽データの再生開始、巻き戻し、早送り、再生停止およびモード設定などの音楽再生プレーヤの各種機能に対応するボタンおよび音量調節ボタンなどを備えるキー入力部である。電話コントロールキー部１０は、電話の発呼、通話、保留、回線切断、インターネット接続および電源切断などの携帯電話機の各種機能に対応するボタンを備えるキー入力部である。アンテナ１１は、携帯電話通信の電波を送受信する。
【００２５】
液晶表示パネル１２は、主として、音楽データの再生につき、簡略化された表示画面を表示する。音楽再生コントロールキー部１３は、音楽データの再生開始、巻き戻し、早送り、再生停止およびモード設定などの音楽再生プレーヤの各種機能に対応するボタンおよび音量調節ボタンなどを備える。
【００２６】
図２は、図１の音楽再生機能つき携帯電話１００の構成を示す機能ブロック図である。本音楽再生機能つき携帯電話１００は、図２に示すように、入力部１０１、表示部１０２、制御部１０３、音楽データ取出部１０４、音楽データ記録媒体１０５、再生部１０６、着信処理情報格納部１０７、通信部１０８、着信音取出部１０９、着信音格納部１１０を備える。以下、これらの構成要素について説明する。
【００２７】
入力部１０１は図１に示したテンキー部５、音楽再生コントロールキー部９、電話コントロールキー部１０、音楽再生コントロールキー部１３等の操作部およびマイクロホン７などの音声入力部に相当し、ユーザが前記操作部を操作することによってユーザからの指示の入力を受け付ける。ユーザの指示とは、例えば、電話をかけるために相手先の電話番号の入力を受け付ける指示や、音楽の再生開始の指示である再生開始指示、音楽の再生を停止する指示である停止指示、音楽再生の早送りの指示である早送り指示、音楽再生の巻き戻しの指示である巻き戻し指示などが挙げられる。
【００２８】
表示部１０２は、図１の液晶表示パネル４および液晶表示パネル１２であり、入力部１０１で入力を受け付けた電話番号や、演奏中の音楽の曲名などを表示する。
【００２９】
制御部１０３は、典型的には、ＣＰＵおよびＲＯＭ／ＲＡＭなどを備え、ＲＯＭに格納されたプログラムを実行することによって音楽再生機能つき携帯電話１００の各部を制御する。このときの制御としては、例えば、入力部１０１を通じてユーザの電話番号入力指示があったときは、これを解釈し、後述する通信部１０８に対しての発信指示などの制御を行い、表示部１０２に対して、ユーザが入力した電話番号等の表示指示を行う。また、入力部１０１を通じてユーザの音楽再生指示があった場合は、後述する音楽データ取出部１０４に対する音楽データ取り出し指示を行う。
【００３０】
さらに、着信時には、後述の着信処理情報格納部１０７に格納されている着信処理方法に応じて、指定された着信処理を行う。例えば、着信時に音楽データを再生していた場合に、後述の着信音取出部１０９に対し、後述の着信音格納部１１０に格納されている着信音の取り出し指示を行い、後述の再生部１０６に再生中の音楽のフェードアウト開始と着信音のフェードイン開始とを指示するとともに、フェードアウト終了後に、後述の音楽データ取出部１０４に対し、音楽データの取り出しを停止する旨の指示を行う。
【００３１】
また、着信時まで音楽データを再生していて、着信により音楽データの再生を停止した場合には、通話終了時に、着信処理情報格納部１０７に格納されているレジューム方法に基づいて、所定の再生開始位置から音楽データを取り出すことを音楽データ取出部１０４に指示する。
【００３２】
音楽データ取出部１０４は、後述の通信部１０８によってダウンロードされた音楽データ、画像データおよびテキストデータなどを後述する音楽データ記録媒体１０５に記録するとともに、制御部１０３からの音楽データ取り出し指示に基づいて、音楽データ記録媒体１０５に記録されている音楽データ等を取り出す。
【００３３】
音楽データ記録媒体１０５は、典型的には、半導体メモリ等からなる読み書き可能な小型の可搬型の記録媒体であって、例えば、後述の通信部１０８を介してインターネットなどからダウンロードされた音楽データなどが記録される。
【００３４】
音楽データ記録媒体１０５は、セクタ構造を有している。各セクタは本実施の形態では５１２バイトのディジタルデータを格納するものとする。音楽データ記録媒体１０５は、複数のセクタをファイルとして管理するためのファイルシステム情報を所定のセクタ群に格納する。音楽データ記録媒体１０５で採用されるファイルシステムはＩＳＯ９２９３で規定されるファイルシステムに準拠している。なお、音楽データ記録媒体１０５は必ずしも本音楽再生機能つき携帯電話１００から取り外し可能である必要はなく、本音楽再生機能つき携帯電話１００に内蔵されていてもよい。
【００３５】
再生部１０６は、ＭＰＥＧデコーダ、Ｄ／Ａ変換機、音量調節回路およびスピーカを備え、音楽データ、着信音および通話音を再生する。音楽データについては、音楽データ取出部１０４が音楽データ記録媒体１０５から取り出した音楽データをデコードし、Ｄ／Ａ変換し、再生する。デコードした音楽は、ヘッドホン等により鑑賞することが可能である。また、フェードイン、フェードアウトなどの音量調節機能も有している。
【００３６】
着信処理情報格納部１０７は、典型的には、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）であって、通話相手先の電話番号、着信時の着信音再生方法および通話終了後の音楽データ再生のレジュームに関する情報を格納するメモリである。音楽データ再生のレジュームに関して、より具体的には、着信処理情報格納部１０７は、制御部１０３から音楽データの再生停止指示があった時点で、再生部１０６が再生していた音楽データのファイル名および位置情報と、音楽データのどの位置から再生を再開するかを示すレジューム方法（を特定する情報）とを格納する。制御部１０３は、音楽データの再生を再開する際に、これらの情報を参照し、音楽データ取出部１０４に対し、適切な音楽データおよびその詳細な取り出し位置を特定し、取り出し指示を行う。
【００３７】
また、着信処理情報格納部１０７は、本音楽再生機能つき携帯電話１００を使用するユーザが登録する電話帳を格納する。その電話帳に対応付けて、ユーザが登録した相手先ごとに、着信時の処理方法についてユーザが設定した内容を格納する。
【００３８】
通信部１０８は、基地局等と無線を用いて通信を行うアンテナや無線送受信部や通信インターフェース等からなる。また、通信部１０８は、着信、通話開始および通話終了など、通信に関する処理の開始／終了を制御部１０３に対して通知する。
【００３９】
着信音取出部１０９は、制御部１０３からの着信音取り出し指示を受けて、後述する着信音格納部１１０から着信音を取り出す。
【００４０】
着信音格納部１１０は、電話の着信音が格納されている記録媒体である。もちろん、記録できる着信音は１つに限られるものではなく、複数の着信音を記録しておいてもよい。この場合、ユーザ設定等により、取り出すべき着信音はあらかじめ設定されているものとしてもよいし、ランダムに選択して取り出すとしてもよい。
【００４１】
図３は、図２の音楽データ記録媒体１０５に記録されるディジタル音楽データのデータ構造の一例を示す図である。図のように、音楽データ記録媒体１０５は、音楽データが一曲ごとにファイル形式で格納される曲データ格納領域２０１と、その音楽データの再生順序を定義する再生経路情報が格納されている再生経路管理領域２０２とから構成される。
【００４２】
曲データ格納領域２０１は、例えば、ＭＰＥＧ２−ＡＡＣ（Ａｄｖａｎｃｅｄ  Ａｕｄｉｏ  Ｃｏｄｉｎｇ）形式で記録された曲データ２０３を、一曲ごとにファイル形式で格納する領域である。なお、曲データ格納領域２０１は、０≦Ｎ≦９９９、すなわち最大９９９個の曲データを格納可能であるとする。
【００４３】
一方、再生経路管理領域２０２は、曲データ格納領域２０１に記録されている曲データ２０３の再生順序を定義する情報である再生経路情報を格納する領域である。再生経路情報は、曲データ格納領域２０１に記録されている曲データ２０３の数を表す曲数２０４と、曲データ格納領域２０１に記録されている曲データ２０３各々の再生制御情報２０５とから構成される。
【００４４】
曲数２０４は、曲データ格納領域２０１に格納されている曲データ２０３の個数Ｎ、すなわち音楽データ記録媒体１０５に記録されている音楽データの個数を表す情報であり、本実施の形態では曲データ２０３の説明で述べた通り、０≦Ｎ≦９９９、すなわち最大９９９個とする。
【００４５】
再生制御情報２０５は、さらに、曲データ２０３のファイル名を示すファイル名２０６と、後述するレジューム時にその曲データ２０３の再生再開点の候補となるアクセスポイントの数Ｍを示すアクセスポイント数２０７と、各アクセスポイントのアドレス位置を示すアクセスポイント２０８とから構成される。なお、本実施の形態では、アクセスポイント数２０７は、０≦Ｍ≦９９、すなわち最大９９個とする。
【００４６】
ところで、音楽データ記録媒体１０５は、すでに説明した通りＩＳＯ９２９３で規定されるいわゆるＦＡＴ（Ｆｉｌｅ  Ａｌｌｏｃａｔｉｏｎ  Ｔａｂｌｅ）ファイルシステムを備えており、ファイル名２０６に記述されているファイル名に基づいて、当該ファイルを特定し、ＦＡＴテーブルの情報に基づいて曲データ２０３の記録開始アドレス、記録終了アドレスを特定することが可能となる。
【００４７】
また、音楽再生時には、再生制御情報２０５に記述されている順に曲データ２０３が再生される。例えば、再生制御情報＃１に曲データ＃１が、再生制御情報＃２に曲データ＃３が、再生制御情報＃３に曲データ＃２が、それぞれ記述されている場合は、曲データ＃１、曲データ＃３、曲データ＃２の順に再生される。
【００４８】
上記のように、図３に示した音楽データ記録媒体１０５のデータ構造によれば、音楽データそのものを音楽データ記録媒体１０５に格納することができるとともに、再生経路管理領域２０２に格納した再生経路情報によって、その再生順序を併せて定義することが可能である。
【００４９】
図４は、図２の着信処理情報格納部１０７に格納される情報のデータ構造を示す図である。図４に示す通り、着信処理情報格納部１０７は、電話帳格納領域３０１、着信処理方法格納領域３０２、レジューム情報格納領域３０３、レジューム方法格納領域３０４から構成される。
【００５０】
電話帳格納領域３０１は、本音楽再生機能つき携帯電話１００を使用するユーザが、入力部１０１を操作して通話相手先の電話番号や名前を登録した結果、その情報を格納する領域である。電話帳格納領域３０１は、登録されている相手先の数Ｌを示す登録者数３０５、登録されている相手先に関する情報を示す登録者３０６から構成される。
【００５１】
登録者数３０５は、電話帳格納領域３０１に何人のデータが登録されているかを示す情報であって、本実施の形態では０≦Ｌ≦９９、すなわち最大９９個とする。
登録者３０６は、さらに登録者名３０７、電話番号３０８、着信処理方法３０９およびＢＧＭファイル名３１０から構成される。
【００５２】
登録者名３０７は、音楽再生機能つき携帯電話１００のユーザが電話帳格納領域３０１に通話相手先を登録する際に入力した名前を記述する。電話番号３０８は、登録者名３０７に名前が記述された通話相手先の電話番号を記述する。着信処理方法３０９は、登録者名３０７に名前が記述された登録者（通話相手先）ごとの着信時の処理方法を示す情報であって、例えば、着信時に音楽の再生を停止し、着信音を再生する場合は、「１」が記述される。着信時に音楽の再生を停止せずに通話中も音楽をＢＧＭとして再生する場合は、「２」が記述される。ＢＧＭファイル名３１０には、音楽データを再生していないときに、登録者名３０７に名前が記述された登録者から着信があった場合に、通話中にＢＧＭとして再生する音楽データのファイル名が記述される。ＢＧＭとして再生する音楽データのファイル名を指定しない場合は、「０」が記述される。
【００５３】
なお、本実施の形態では、着信処理方法３０９が「２」のとき、かつ、音楽データを再生中に着信があったときは、再生中の音楽データをそのままＢＧＭとして再生するものとする。また、着信処理方法３０９が「２」のとき、かつ、音楽データを再生していないときに着信があったときは、ＢＧＭファイル名３１０に記述したファイル名の音楽データをＢＧＭとして再生するものとする。もちろん、これに限定されるものではなく、例えば着信処理方法３０９が「２」のとき、かつ、音楽データを再生中に着信があったときは、再生中の音楽データをいったん停止し、ＢＧＭファイル名３１０に記述したファイル名の音楽データをＢＧＭとして再生するとしてもよい。
【００５４】
次に、着信処理方法格納領域３０２は、電話帳格納領域３０１に登録されていない発信者に対する着信時の処理方法を格納する領域である。着信時の処理方法として、音楽データ再生中に着信があった時に、音楽データの再生を停止し、着信音を再生する場合は、「１」を記述する。着信時に音楽データの再生を停止せずに、通話中も音楽データをＢＧＭとして再生する場合は、「２」を記述する。
【００５５】
なお、着信処理方法格納領域３０２には、ＢＧＭファイル名３１０のようにＢＧＭ用の音楽データのファイル名を格納する領域を設けていないので、着信処理方法格納領域３０２に「２」が格納されている場合でも、音楽データを再生していないときに着信があったときは、電話帳格納領域３０１に登録されていない発信者に対して、音楽データのＢＧＭ再生は行われない。もちろん、これに限定されるものではなく、着信処理方法格納領域３０２に、電話帳格納領域３０１に登録されていない発信者に対して、通話中にＢＧＭとして再生する音楽データのファイル名を格納する領域を設け、その領域にＢＧＭファイル名３１０と同様に、通話中にＢＧＭとして再生する音楽データのファイル名を記述しておくことによって、電話帳格納領域３０１に登録されていない発信者に対しても、通話中にその音楽データをＢＧＭとして再生することができる。
【００５６】
レジューム情報格納領域３０３は、レジュームファイル名３１１と、着信時再生位置情報３１２とから構成される。
レジュームファイル名３１１は、音楽再生機能つき携帯電話１００のユーザが着信時に音楽データを再生していた場合、制御部１０３によって再生停止指示が出された時点で再生されていた音楽データのファイル名を記述する。一方、着信時再生位置情報３１２は、着信時に音楽データを再生していた場合、制御部１０３によって再生停止指示が出された時点での音楽データの再生位置を示すアドレス情報を記述する。
【００５７】
図５は、図４のレジューム情報格納領域３０３に格納される情報の一例を表す図である。レジューム情報格納領域３０３には、レジュームファイル名４０１と、着信時再生位置情報４０２とが格納される。レジュームファイル名４０１には、着信時、すなわち制御部１０３から音楽データの再生停止指示があったときに再生中であった音楽データのファイル名「Ｓｏｎｇ０１．ａａｃ」が記述される。一方、着信時再生位置情報４０２には、着信時、すなわち制御部１０３から音楽データの再生停止指示があったときに再生中であったファイルの再生位置が、ファイル先頭からのバイト数で「１２３４」と記述されている。これらの情報にしたがって、着信時に再生していた音楽データのファイルおよびそのファイルの再生位置を特定することが可能となる。
【００５８】
レジューム方法格納領域３０４は、複数種類のレジューム方法をレジュームパターンで表し、どのレジューム方法でレジュームを行うかをレジュームパターンに対応する番号で格納する領域である。レジュームによる音楽データ再生の再開は、着信時に音楽再生機能つき携帯電話１００のユーザが音楽データを再生していた場合、かつ、通話時に音楽データの再生を停止した場合に行われる。レジュームパターンには、通話終了後、再生を停止した位置から再生を再開するレジュームパターン▲１▼、再生を停止した位置から所定の秒数だけ戻って再生を再開するレジュームパターン▲２▼および曲の先頭に戻って再生を再開するレジュームパターン▲３▼があり、それぞれ「１」〜「３」の内容でレジューム方法格納領域３０４に格納される。
【００５９】
なお、ここでは再生を停止した位置から所定の秒数だけ戻って再生を再開するレジュームパターン▲２▼の場合に、常に５秒さかのぼる、あるいは常に３秒さかのぼるというように、あらかじめ固定値を別途、ＲＯＭに記憶しているが、本発明の音楽再生機能つき携帯電話１００は、本実施の形態に限定されず、例えば、レジューム方法格納領域３０４に、さらに、再生停止位置から何秒さかのぼるかを示す巻き戻し秒数を格納する領域を設け、その領域に、ユーザによって入力された巻き戻し秒数を格納することとしても良い。さらに、レジュームパターン▲２▼の場合には、音楽データの再生を停止している間の通話時間を計測し、計測された通話時間が所定のしきい値を超える場合には、レジューム方法格納領域３０４に「２」が格納されている場合であっても、一律に、レジュームパターン▲３▼を採用し、音楽データの曲の先頭に戻って再生を再開するようにしても良い。
【００６０】
図６は、音楽再生機能つき携帯電話１００が行うレジューム方法のうち、３通りのレジューム方法の例を示す図である。図において、曲頭５０１から曲データ２０３の再生を行い、通信部１０８が着信点５０３に示す位置において着信を検知し、制御部１０３が音楽データの再生停止を再生部１０６に指示したとする。ここで、レジュームパターン▲１▼に示すレジューム方法は、着信処理情報格納部１０７における着信時再生位置情報３１２に格納されるアドレスから、再生を再開することを示している。次にレジュームパターン▲２▼に示すレジューム方法は、着信処理情報格納部１０７における着信時再生位置情報３１２に格納されるアドレスから、特定の値だけさかのぼって、レジューム位置５０２から再生を再開することを示している。ここで特定の値だけさかのぼるとは、着信のあったときに再生していた箇所から例えば５秒前の箇所に戻って再生を再開することを意味する。なお、特定の値だけさかのぼるためには、再生時に例えば１秒ごとのファイル先頭からのアドレスをＲＡＭに記憶させ、これに基づいて再開時に再生する適当なアドレスを算出する必要がある。
【００６１】
最後に示すレジュームパターン▲３▼は、着信処理情報格納部１０７における着信時再生位置情報３１２に格納されるアドレスの値に関係なく、曲頭５０１から再生を再開することを表している。このような３種類のレジューム方法における、レジューム位置の具体的な数値を記述したのが図７である。
【００６２】
図７は、図６に示した３種類のレジュームパターンに対応する着信時再生位置情報３１２と再生再開位置のアドレスを示すレジューム位置情報との関係を具体的数値で表す図である。図７において、レジュームパターン６０１は、図６に示した３種類のレジュームパターンを示している。着信時再生位置情報６０２は、着信時に再生していた曲データ２０３のファイル先頭からのアドレス情報を示す。レジューム位置情報６０３はそれぞれ、３種類のレジューム方法において、曲データ２０３のどの地点から再生を再開するかを示す。また、着信処理情報格納部１０７における着信時再生位置情報３１２に格納されるアドレスは、「１２３４」であるとする。このとき、レジュームパターン▲１▼では、着信のあった時点での再生位置から再生を再開するため、レジューム位置情報としてのアドレスはやはり「１２３４」である。次に、レジュームパターン▲２▼では、レジューム位置は、着信のあった時点の再生位置から所定の値、例えば、５秒間の再生分だけさかのぼる。その分だけさかのぼったアドレス値が例えば「７６５」であることを示している。最後にレジュームパターン▲３▼では、曲頭５０１から再生を再開するため、レジューム位置情報としてのアドレスは、「０」であることを示している。
【００６３】
以上のように本音楽再生機能つき携帯電話１００によれば、▲１▼〜▲３▼の３つのレジュームパターン６０１を提供することができるので、ユーザは上記▲１▼〜▲３▼のうちから、自分にとってより好ましいレジューム方法を選択して実行することができるという効果がある。
【００６４】
図８は、図２の音楽データ記録媒体１０５中のアクセスポイント２０８を利用した、レジュームパターン▲２▼の変形例に係るレジューム位置の特定方法の一例を示す図である。例えば、音楽データ記録媒体１０５には、１コーラスの先頭、２コーラスの先頭、あるいは、小節単位など、ユーザにとって再生を再開するのに都合がいいと思われる点をあらかじめアクセスポイント２０８に登録しておく。本実施の形態では、第１アクセスポイント７０４、第２アクセスポイント７０５、第３アクセスポイント７０６、第４アクセスポイント７０７の４つのアクセスポイントが登録されているものとする。
【００６５】
図において、最上部の矢印は、再生部１０６は曲頭７０１から曲データ２０３の再生を行い、通信部１０８が第１着信点７０２に示す位置において着信を検知し、制御部１０３が音楽データの再生停止を再生部１０６に指示したことを示している。図８の上から２番目の矢印は、このとき、制御部１０３が第１着信点７０２の直前のアクセスポイントである第１アクセスポイント７０４にさかのぼって再生を再開することを示している。
【００６６】
一方、上から３番目の矢印は、再生部１０６が曲頭７０１から曲データ２０３の再生を行い、通信部１０８が第２着信点７０３に示す位置において着信を検知し、制御部１０３が曲データ２０３の再生停止を再生部１０６に指示したことを示している。これに対し、上から４番目の矢印は、制御部１０３が第２着信点７０３の直前のアクセスポイントである第３アクセスポイント７０６にさかのぼって再生を再開することを示している。
【００６７】
なお、直前のアクセスポイントが存在しない場合は、制御部１０３は曲頭７０１から再生を再開する。また、上記アクセスポイント２０８については、別途、音楽再生機能つき携帯電話１００に編集機能を備えることにより、曲データ２０３に応じて登録されているアクセスポイント２０８を、ユーザが変更したり、追加設定したりできるようにしても良い。
【００６８】
以上のように上記変形例によれば、格納されている曲データ２０３の内容に応じてレジューム位置の候補となるアクセスポイント２０８を定めておくので、音楽を鑑賞するユーザにとって意味のないアドレス情報に基づいてレジューム位置を決定するよりも、より意味のあるレジューム位置を決定することができる。また、このように多様なレジュームパターンを設定しておくことによって、よりユーザの要望に応じた多様なレジューム方法を実現することができるという効果がある。
【００６９】
次に、以上のように構成された音楽再生機能つき携帯電話１００の動作について図９〜図１１のフローチャートと図１２および図１３のタイミングチャートを用いて説明する。
【００７０】
図９は、音楽データ再生中に着信があったときの制御部１０３の動作を示すフローチャートである。制御部１０３は、再生部１０６に音楽データを再生させながら、通信部１０８からの着信通知を待つ（Ｓ８０１）。通信部１０８から着信通知を受けた場合は、制御部１０３は発信者の電話番号が着信処理情報格納部１０７の電話帳格納領域３０１内に格納されているか否かを調べ、発信者がすでに電話帳格納領域３０１に登録されているか否かの判定を行う（Ｓ８０２）。判定の結果、すでに登録されている相手からであった場合は、着信処理方法３０９に格納されている着信処理方法を取得する（Ｓ８０３）。一方、ステップＳ８０２での判定の結果、電話帳格納領域３０１に登録されていない相手からの着信であった場合は、着信処理方法格納領域３０２に格納されている着信処理方法を取得する（Ｓ８０５）。
【００７１】
次いで、取得した着信処理方法に基づいて、音楽データの再生を停止するのか、それともＢＧＭとして音楽データの再生を継続するのかの判定を行う（Ｓ８０４）。音楽データの再生を停止すると判定した場合は、再生部１０６に再生中の音楽データをフェードアウト処理させると同時に、着信音取出部１０９に所定の着信音を着信音格納部１１０から取り出させ、取り出された着信音を再生部１０６にフェードイン処理させながら音楽データの再生音にミキシングして再生させる（８０７）。
【００７２】
さらに、再生部１０６に音楽データの再生を停止させ（Ｓ８０８）、再生していた音楽データのファイル名２０６を着信処理情報格納部１０７内のレジューム情報格納領域３０３のレジュームファイル名３１１に、再生を停止した箇所のアドレス情報、すなわちレジューム位置情報を、レジューム情報格納領域３０３の着信時再生位置情報３１２に記録した後（Ｓ８０９）、ステップＳ８１０に移行する。
【００７３】
ステップＳ８０４において、音楽データの再生をＢＧＭとして継続すると判定した場合は、再生部１０６に再生中の音楽データの音量をＢＧＭ再生の音量まで徐々に絞り込ませ、同時に、着信音取出部１０９に所定の着信音を着信音格納部１１０から取り出させて、取り出された着信音を再生部１０６にフェードイン処理させながらＢＧＭ再生音にミキシングして再生させるとともに（Ｓ８０６）、着信音の再生開始からの経過時間の計測を開始し、通信部１０８からの通話開始通知を待つ（Ｓ８１０）。
【００７４】
制御部１０３は、着信音の再生開始から経過時間を計測し、計測した経過時間が所定時間を超えるまでに通信部１０８からの通話開始通知があるか否かを判定することによって、所定時間内にユーザが着信に応じたか否かを判定し（Ｓ８１１）、所定時間内にユーザが着信に応じた場合は、処理を終了する。一方、所定時間内にユーザが着信に応じなかった場合は、ユーザが着信に応じる意思がないものとして再生部１０６に着信音の再生を停止させ（Ｓ８１２）、音楽データの再生を停止していた場合は音楽データの再生を再開し、音楽データをＢＧＭ再生していた場合は音楽データの音量を通常の（着信待ち受け時の）音量に戻して、処理を終了する。
【００７５】
なお、ここでは、着信音を再生部１０６にフェードイン処理させながら音楽データの再生音もしくはＢＧＭ再生音にミキシングして再生させるとしたが、必ずしもミキシングする必要はなく、例えば、ヘッドホン３の右（あるいは左）側スピーカから着信音を、左（あるいは右）側スピーカから音楽データの再生音を出力するとしてもよい。
【００７６】
以上のように本実施の形態によれば、音楽再生機能つき携帯電話１００は、あらかじめ登録されている通話相手には着信処理方法３０９に格納されている着信処理方法に応じて、再生中の音楽の再生を停止するか、または再生を継続してＢＧＭ再生とするかを決定するので、ユーザは、通話相手に応じて、音楽の再生を停止して通話に専念したり、一緒にＢＧＭを楽しんだりすることができるという効果がある。また、音楽再生機能つき携帯電話１００は、登録されていない通話相手には着信処理方法格納領域３０２に格納されている着信処理方法に応じて、上記着信処理を決定するので、それほど頻繁に通話しない通話相手についても、一様ではあるが、再生中の音楽の再生を停止するか、または再生を継続するかを設定しておくことができるという効果がある。さらに、音楽再生機能つき携帯電話１００は、着信から所定時間内に着信に応じない場合には、自動的に着信音の再生を停止するので、着信音再生による電池の消耗を抑えることができるという効果がある。この場合、着信を報知するために、着信音の再生と同時にバイブレータによる振動を併用する場合には、着信音と同時にバイブレータも停止するようにしておけば、電池の消耗を抑える点において特に効果がある。
【００７７】
図１０は、着信時に音楽データの再生を停止していた場合に、通話終了後に音楽データの再生を再開する際の制御部１０３の動作を説明するフローチャートである。
【００７８】
制御部１０３は、通信部１０８からの通話終了通知を待つ（Ｓ９０１）。通話終了通知があった場合は、音楽データの再生を再開する際のレジューム方法を決定する。ここでレジューム方法は、着信処理情報格納部１０７内のレジューム方法格納領域３０４に格納されているレジュームパターンの指定に従う（Ｓ９０２）。例えば、レジューム方法格納領域３０４に格納されていた内容が「１」であった場合、レジュームパターン▲１▼が特定される。
【００７９】
続いて、ステップＳ９０２で決定したレジューム方法で再生すべき音楽データを特定する。再生される音楽データは、着信処理情報格納部１０７内のレジューム情報格納領域３０３のレジュームファイル名３１１によって特定される。さらに、制御部１０３は、特定された音楽データのレジューム位置を特定する。例えば、レジュームパターン▲１▼では、着信処理情報格納部１０７の着信時再生位置情報３１２に格納されるアドレスを特定する。次いで、制御部１０３は、特定されたレジューム位置から音楽データを取り出すよう音楽データ取出部１０４に指示する（Ｓ９０３）。
【００８０】
さらに、制御部１０３は、音楽データ取出部１０４によって取り出された音楽データの再生を再生部１０６に指示し、処理を終了する（Ｓ９０４）。これに応じて、再生部１０６はステップＳ９０３で特定されたレジューム位置から音楽データの再生を行う。
【００８１】
以上のように本実施の形態によれば、音楽再生機能つき携帯電話１００は、中断されていた音楽データの再生をレジューム方法格納領域３０４に格納されているレジュームパターンに従って再開するので、ユーザの予期しないタイミングで音楽の再生が中断された場合でも、通話終了後には、ユーザがあらかじめ選択したより好ましいレジュームパターンに従って音楽データの再生を開始することができるという効果がある。
【００８２】
図１１は、音楽データを再生していないときに着信があった場合の制御部１０３の動作を示すフローチャートである。
制御部１０３は、通信部１０８からの着信通知を待つ（Ｓ１００１）。着信通知があった場合は、制御部１０３は発信者の電話番号が着信処理情報格納部１０７の電話帳格納領域３０１に登録されているか否かを調べ、発信者がすでに電話帳格納領域３０１に登録されているか否かの判定を行う（Ｓ１００２）。判定の結果、電話帳格納領域３０１に登録されていない相手からの着信であった場合は、処理を終了する。
【００８３】
判定の結果、すでに登録されている相手からの着信であった場合は、着信処理情報格納部１０７内の該当する登録者３０６のＢＧＭファイル名３１０を取得する（Ｓ１００３）。
次いで、制御部１０３は、取得したＢＧＭファイル名３１０の内容に基づいて、ファイル名が指定されているか否かを判定する（Ｓ１００４）。例えば、取得したＢＧＭファイル名３１０の内容が「０」であればファイル名が指定されていないことを示し、取得したＢＧＭファイル名３１０の内容が「０」以外であれば、それが音楽データのファイル名である。制御部１０３は、ステップＳ１００４での判定の結果、ファイル名が指定されていない場合は、処理を終了する。
【００８４】
ステップＳ１００４での判定の結果、ファイル名が指定されている場合、制御部１０３は、通信部１０８からの通話開始通知を待つ（Ｓ１００５）。通信部１０８から通話開始通知を受けた場合は、ＢＧＭファイル名３１０で指定された音楽データの取り出しを音楽データ取出部１０４に指示し、取り出された音楽データのＢＧＭ再生を再生部１０６に指示することによって、音楽データのＢＧＭ再生を開始し（Ｓ１００６）、処理を終了する。
【００８５】
以上のように本実施の形態によれば、音楽再生機能つき携帯電話１００は、音楽データを再生していないときに着信があった場合においても、音楽データのＢＧＭ再生を行うことができるとともに、音楽再生機能つき携帯電話１００はＢＧＭファイル名３１０に指定されている音楽データのＢＧＭ再生を行うので、ユーザがあらかじめＢＧＭファイル名３１０に通話相手に応じた音楽データ、例えば、通話相手の好みの曲などを選んでおくことによって、通話相手とともに音楽データをＢＧＭとして楽しむことができるという効果がある。
【００８６】
図１２は、着信時にユーザが所定時間内に応答した場合の音楽再生機能つき携帯電話１００の音楽データ再生音と着信音との音量変化を示すタイミングチャートである。同図において、（ａ）は音楽データ再生音の音量変化を示し、（ｂ）は着信音の音量変化を示す。図１２（ａ）において、実線ＬＡ１で示される音量変化は、（１）着信時にユーザが音楽データを再生していた場合であって、かつ、図４の着信処理方法３０９または着信処理方法格納領域３０２に「１」が格納されていた場合の音量変化である。破線ＬＡ２で示される音量変化は、（２）着信時にユーザが音楽データを再生していた場合であって、かつ、図４の着信処理方法３０９または着信処理方法格納領域３０２に「２」が格納されていた場合の音量変化である。一点鎖線ＬＡ３で示される音量変化は、（３）着信時にユーザが音楽データを再生していない場合であって、かつ、図４の着信処理方法３０９に「２」が格納されており、ＢＧＭファイル名３１０の指定がある場合の音量変化である。同図（ａ）、（ｂ）ともに、縦軸は音量ｖを示し、横軸は時間ｔを示す。
【００８７】
上記（１）の場合、実線ＬＡ１で示すように、ユーザが音楽データを音量ｖ＝ｖ１で再生中、ｔ＝ｔ１のときに着信があると（図９のステップＳ８０１）、制御部１０３は、着信した電話の発信者の電話番号と着信処理情報格納部１０７の電話帳格納領域３０１の各登録者３０６の電話番号３０８とを照合し（ステップＳ８０２）、一致すれば、その登録者３０６の着信処理方法３０９を取得し（ステップＳ８０３）、一致しなければ、着信処理方法格納領域３０２の着信処理方法を取得する（ステップＳ８０５）。取得した着信処理方法が「１」である場合（ステップＳ８０４）、制御部１０３は、再生部１０６に音楽データの再生をフェードアウト処理するよう指示し、着信音取出部１０９に着信音格納部１１０からの着信音の取り出しを指示するとともに、取り出された着信音の再生をフェードイン処理するよう再生部１０６に指示する（ステップＳ８０７）。これにより、実線ＬＡ１で示すようにｔ１≦ｔ≦ｔ２の間、音楽データの再生音が音量ｖ１から０までフェードアウトされ、同時に、図１３（ｂ）に示すようにｔ１≦ｔ≦ｔ２の間、着信音が音量ｖ３までフェードインされる。次いで、フェードアウト処理終了後、再生部１０６に音楽データの再生停止を指示し（ステップＳ８０８）、レジュームファイル名３１１と着信時再生位置情報３１２とを記録する（ステップＳ８０９）。これにより、実線ＬＡ１で示すように、ｔ＝ｔ２以降、音楽データの再生が停止される（ｖ＝０）とともに、図１３（ｂ）のように、一定レベルの音量ｖ３で着信音のみが再生される。ここで、ユーザが入力部１０１を操作することなどによって着信に応じると（ｔ＝ｔ３）（ステップＳ８１１）、通信部１０８の処理によって着信音取出部１０９による着信音の取り出しが停止され、通話が開始される。これにより、図１３（ｂ）に示すようにｔ＝ｔ３において着信音が停止され、通話終了まで通話音のみが出力される。
【００８８】
なお、ここでは、音楽データ再生音のフェードアウトと着信音のフェードインとは、開始時ｔ１と終了時ｔ２のタイミングが同じであるが、異なるタイミングで音楽データ再生音のフェードアウトと着信音のフェードインを行ってもよい。例えば、音楽データ再生音のフェードアウト開始のタイミングを着信音のフェードイン開始より遅くしてもよいし、着信音のフェードイン終了のタイミングを音楽データ再生音のフェードアウト終了より早くしてもよい。また、その逆でもよい。また、音楽データ再生音のフェードアウト速度が着信音のフェードイン速度より早くなるようにしてもよいし、その逆であってもよい。さらに、このタイミングおよびフェードイン／アウトの速度をユーザが調整できるようにしておいてもよい。また、通話開始により、ｔ＝ｔ３において着信音が停止されるが、この場合においても、着信音をフェードアウト処理するようにしてもよい。
【００８９】
ユーザが入力部１０１を操作することなどによって通話が終了すると（ｔ＝ｔ４）、通信部１０８によって通話終了通知が制御部１０３に送信される。制御部１０３は、通話終了通知があると（図１０のステップＳ９０１）、着信処理情報格納部１０７のレジューム方法格納領域３０４に格納されているレジュームパターンに従って（ステップＳ９０２、Ｓ９０３）、着信時に再生されていた音楽データを再生する（ステップＳ９０４）。これにより、実線ＬＡ１で示すように、通話中停止されていた音楽データの再生（音量ｖ＝０）が、通話終了後（ｔ＝ｔ４）、着信時（ｔ＝ｔ１）の音楽データ再生時の音量ｖ１で再開される。なお、ここでは、レジュームによる音楽データの再生開始時に音量調整処理を施していないが、レジュームによる音楽データの再生開始時にフェードイン処理を施すようにしてもよい。
【００９０】
上記（２）の場合、破線ＬＡ２で示すように、ユーザが音楽データを音量ｖ＝ｖ１で再生中、ｔ＝ｔ１のときに着信があると（図９のステップＳ８０１）、制御部１０３は、（１）の場合と同様にして、発信者の電話番号と登録者３０６の電話番号３０８とが一致すれば（ステップＳ８０２）、その登録者３０６の着信処理方法３０９を取得し（ステップＳ８０３）、一致しなければ、着信処理方法格納領域３０２の着信処理方法を取得する（ステップＳ８０５）。取得した着信処理方法が「２」である場合（ステップＳ８０４）、制御部１０３は、再生部１０６に再生中の音楽データの音量をＢＧＭ再生の音量まで徐々に低減するよう指示し、着信音取出部１０９に着信音格納部１１０からの着信音の取り出しを指示するとともに、取り出された着信音の再生をフェードイン処理するよう再生部１０６に指示する（ステップＳ８０６）。これにより、音楽データの再生音は、破線ＬＡ２で示すように、着信時から、ｔ１≦ｔ≦ｔ２の間、それまでの再生音の音量ｖ１が所定の音量ｖ２まで徐々に低減され、ｔ＝ｔ２以降は一定音量ｖ２で音楽データのＢＧＭ再生が行われる。一方、着信音は、ｔ１≦ｔ≦ｔ２の間、ＢＧＭ再生音にミキシングされながら図１２（ｂ）のようにフェードインされ、ｔ＝ｔ２において所定の音量ｖ３に達すると、その音量ｖ３で再生される。ここで、ユーザが着信に応じると（ｔ＝ｔ３）（ステップＳ８１１）、通信部１０８の処理によって着信音取出部１０９による着信音の取り出しが停止され、通話が開始される。音楽データのＢＧＭ再生音は、通話音にミキシングされて再生され、ヘッドホン３またはスピーカ６から出力されるとともに、ユーザの通話相手にも送信される。これにより、図１２（ｂ）に示すように、ｔ＝ｔ３において着信音が停止される。この場合においても、着信音の停止につきフェードアウト処理を施すようにしてもよい。
【００９１】
通話が終了すると（ｔ＝ｔ４）、通信部１０８によって通話終了通知が制御部１０３に送信される。制御部１０３は、通話終了時にＢＧＭ再生が行われていた場合、再生部１０６に対し、音楽データのＢＧＭ再生音量を着信時の音量まで増加するよう指示する。これにより、破線ＬＡ２で示すように、音楽データのＢＧＭ再生音量ｖ２が、着信時の音楽データ再生時の音量ｖ１に戻される。なお、この場合ももちろん、ＢＧＭ再生の音量ｖ２を着信時の音量ｖ１まで徐々に増加させるようにしてもよい。
【００９２】
なお、ここでは音楽データのＢＧＭ再生音は、通話音にミキシングされて再生されるとしたが、音楽データのＢＧＭ再生音と通話音とは必ずしもミキシングされる必要はなく、例えば、ヘッドホン３の右（あるいは左）側スピーカから通話音が、左（あるいは右）側スピーカから音楽データのＢＧＭ再生音が出力されるとしてもよい。
【００９３】
また、音楽データのＢＧＭ再生音は、ユーザの通話相手にも送信されるとしたが、本発明の音楽再生機能つき携帯電話は、これら実施の形態に限定されず、音楽データのＢＧＭ再生音は通話音と同時にヘッドホン３またはスピーカ６から出力されるのみで、ユーザの通話相手には送信されないようにしてもよい。このようにしておけば、本音楽再生機能つき携帯電話のユーザが発信した場合において、受信者側も本音楽再生機能つき携帯電話のユーザである場合、受信者側も通話中に発信者とは別の音楽データのＢＧＭ再生を楽しむことができるという効果がある。さらに、このＢＧＭ再生音を通信相手に送信するか否かをユーザが個別に設定できるようにしておいてもよい。さらにまた、通信相手ごとに設定できるようにしておいてもよい。
【００９４】
上記（３）の場合、ユーザは着信時に音楽データを再生していない。制御部１０３は、通信部１０８から着信通知を受けると（ｔ＝ｔ１）（図１１のステップＳ１００１）、着信音の取り出しを着信音取出部１０９に指示し、取り出された着信音の再生をフェードイン処理するよう再生部１０６に指示する。これにより、着信時から、ｔ１≦ｔ≦ｔ２の間、着信音が図１２（ｂ）に示すようにフェードインされ、ｔ＝ｔ２において所定の音量ｖ３に達すると、その音量ｖ３で再生される。
【００９５】
この間、制御部１０３は、着信した電話の発信者の電話番号と各登録者３０６の電話番号３０８とを照合し（ステップＳ１００２）、一致すれば、その登録者３０６の着信処理方法３０９を取得し、取得した着信処理方法３０９が「２」である場合、ＢＧＭファイル名３１０を取得する（ステップＳ１００３）。制御部１０３は、取得したＢＧＭファイル名３１０が「０」ではないので（ステップＳ１００４）、通信部１０８からの通話開始通知を待ち（ステップＳ１００５）、通話開始通知があると（ｔ＝ｔ３）、取得したＢＧＭファイル名３１０の曲データ２０３を音楽データ記録媒体１０５から取り出すよう音楽データ取出部１０４に指示するとともに、取り出された曲データ２０３をＢＧＭ再生するよう再生部１０６に指示する（ステップＳ１００６）。着信音は通信部１０８の処理によって停止される。
【００９６】
これにより、通話開始とともに（ｔ＝ｔ３）、着信音が図１２（ｂ）のように停止される一方、一点鎖線ＬＡ３で示すように、ＢＧＭファイル名３１０で指定された曲データ２０３のＢＧＭ再生が開始され（ｖ＝ｖ２）、通話音にミキシングされる。ミキシングされたＢＧＭ再生音は、ヘッドホン３またはスピーカ６から出力されるとともに、ユーザの通話相手にも送信される。なお、この場合においても、ＢＧＭファイル名３１０で指定された曲データ２０３のＢＧＭ再生につき、フェードイン処理を施してもよい。また、上記の場合、通話開始を待って曲データ２０３のＢＧＭ再生を開始するとしたが、本発明はこれに限定されず、着信時（ｔ＝ｔ１）から、あるいは、着信以降の適当な時点（ｔ１≦ｔ≦ｔ３）からＢＧＭ再生もしくはそのフェードイン処理を開始するとしてもよい。また、上記においては、本音楽再生機能つき携帯電話１００が着信を受けた場合の通話中におけるＢＧＭ再生についてのみ説明したが、本発明はこれら実施の形態に限定されず、音楽再生機能つき携帯電話のユーザが発信した場合の通話中においてもＢＧＭ再生を行うようにしてもよい。この場合、ＢＧＭ再生音を通話音にミキシングして通話相手に送信してもよいし、送信しなくてもよい。
【００９７】
通話が終了すると（ｔ＝ｔ４）、制御部１０３は、音楽データ記録媒体１０５からの曲データ２０３の取り出し停止を音楽データ取出部１０４に指示するとともに、音楽データの再生停止を再生部１０６に指示する。これにより、一点鎖線ＬＡ３で示すように、音楽データのＢＧＭ再生が停止される（ｖ＝０）。なお、この場合においても、曲データ２０３のＢＧＭ再生の停止につき、フェードアウト処理を施してもよいのはもちろんである。
【００９８】
以上のように本実施の形態によれば、音楽再生機能つき携帯電話１００は、着信時において、再生中の音楽をフェードアウトし、これと同時に着信音をフェードインするので、音楽再生中のユーザは、より快適に着信音を識別できるという効果があるほかに、着信時、通話中および通話終了後のそれぞれの時間帯において、多様な処理を行うことができるので、音楽再生プレーヤと携帯電話機との両方の機能を備えているゆえに生じるユーザの多様なニーズにこたえることができるという効果がある。
【００９９】
図１３は、着信時にユーザが所定時間Δｔ内に応答しなかった場合の音楽再生機能つき携帯電話１００の音楽データ再生音と着信音との音量変化を示すタイミングチャートである。同図において、（ａ）は音楽データ再生音の音量変化を示し、（ｂ）は着信音の音量変化を示す。図１３（ａ）において、実線ｌａ１で示される音量変化は、図１２（ａ）の（１）と同様の場合についての音量変化である。破線ｌａ２で示される音量変化は、図１２（ａ）の（２）と同様の場合についての音量変化である。一点鎖線ｌａ３で示される音量変化は、図１２（ａ）の（３）と同様の場合についての音量変化である。従って、図１３における着信時（ｔ１≦ｔ≦ｔ２）の音量変化は、図１２の着信時（ｔ１≦ｔ≦ｔ２）の音量変化と同様であるので、説明を省略する。なおここで、ｔ５＝ｔ１＋Δｔである。
【０１００】
（１）の場合、一定音量（ｖ＝ｖ３）で着信音のみが再生されている状態で（ｔ２≦ｔ）、着信時から所定時間Δｔを経過（ｔ＝ｔ５）してもユーザが応答しなかった場合（図１０のステップＳ８１１）、制御部１０３は、着信音のフェードアウト処理を再生部１０６に指示するとともに、着信時に再生されていた音楽データのファイル名（レジュームファイル名３１１）を取得し、取得したファイル名の音楽データを曲頭から取り出すよう音楽データ取出部１０４に指示し、取り出された音楽データをフェードイン処理しながら着信音にミキシングして再生開始するよう再生部１０６に指示する。着信音のフェードアウトが完了すると（ｔ＝ｔ６）、制御部１０３は、着信音の取り出し停止を着信音取出部１０９に指示し、着信音の再生停止を再生部１０６に指示する（ステップＳ８１２）。一方、フェードインされていた音楽データの再生音が着信時の音量（ｖ＝ｖ１）に達すると（ｔ＝ｔ６）、その音量ｖ１での音楽データの再生を再生部１０６に指示する。
【０１０１】
これにより、図１３（ｂ）のように着信音がフェードアウトされる（ｔ５≦ｔ≦ｔ６、ｖ３≧ｖ≧０）と同時に、図１３（ａ）の実線ｌａ１のように、着信により再生が停止されていた音楽データが再度フェードインされ（ｔ５≦ｔ≦ｔ６、０≦ｖ≦ｖ１）、着信時の再生状態に戻る。なお、この場合には、着信により再生を停止されていた音楽データの再生を、曲頭から再開するとしたが、本発明はこの例に限定されず、他のレジュームパターンに基づいたレジューム位置から再生を再開してもよいし、レジューム方法格納領域３０４に格納されているレジュームパターンに基づいたレジューム位置から再生を再開するとしてもよい。
【０１０２】
（２）の場合、着信時に再生されていた音楽データの再生音が低減され、一定音量（ｖ＝ｖ３）の着信音がＢＧＭ再生音（ｖ＝ｖ２）にミキシングされて再生されている状態で（ｔ２≦ｔ＜ｔ５）、着信時から所定時間Δｔを経過（ｔ＝ｔ５）してもユーザが応答しなかった場合、制御部１０３は、着信音のフェードアウト処理を再生部１０６に指示するとともに、音楽データのＢＧＭ再生音量ｖ２を着信時の音量ｖ１まで増加するよう指示する。次いで、着信音のフェードアウトが完了すると（ｔ＝ｔ６）、制御部１０３は、着信音の取り出し停止を着信音取出部１０９に指示し、着信音の再生停止を再生部１０６に指示する。
【０１０３】
これにより、図１３（ｂ）のように着信音がフェードアウトされると同時に（ｔ５≦ｔ≦ｔ６、ｖ３≧ｖ≧０）、図１３（ａ）の破線ｌａ２のように、ＢＧＭ再生されていた音楽データの音量ｖ２が着信時の音量ｖ１まで徐々に増加され（ｔ５≦ｔ≦ｔ６、ｖ２≦ｖ≦ｖ１）、着信時の再生状態に戻る。
【０１０４】
（３）の場合、通信部１０８による着信通知があった後、制御部１０３によって図１１のステップＳ１００１からステップＳ１００５に対応する処理が行われるものの、通信部１０８からの通話開始通知がある前に、着信時の状態に戻るため、結果的に音楽データのＢＧＭ再生は行われず、図１３（ｂ）のように着信音のみが再生される。
【０１０５】
以上のように本実施の形態によれば、音楽再生機能つき携帯電話１００は、着信があった場合、一旦、着信処理方法３０９または着信処理方法格納領域３０２に格納されていた着信処理方法で着信処理を行うが、ユーザが着信後、所定時間Δｔ内に応答しなかった場合には、音楽データの再生を自動的に着信前の状態に戻すので、ユーザが着信に応答する意思のない場合や、発信者の電話番号とその発信者から着信があったことさえ分かればすぐに通話しなくてもよいという場合には、ユーザは着信に応じずに単に放置しておくだけでよく、わざわざ入力部１０１を操作してもとの状態に戻す必要がないので便利であるという効果がある。
【０１０６】
なお、上記実施形態は現状において最善の効果が期待できるシステム例として説明したにすぎない。本発明は、その要旨を逸脱しない範囲で実施変更することができる。具体的には以下に示すような変更実施が可能である。
【０１０７】
本実施の形態では、音楽データ記録媒体１０５を、可搬型の半導体メモリとして説明を行ったが、これに限定されるものではなく、可搬型の半導体メモリ以外の小型のハードディスクや、あるいは音楽再生機能つき携帯電話機１００の内蔵メモリなどに置き換えることが可能である。
【０１０８】
本実施の形態では、レジュームパターンとして３種類説明したが、もちろんこれらに限定されるものではない。また、本実施の形態では、ユーザの入力によって選択されたレジュームパターンがレジューム方法格納領域３０４に格納されているものとして説明したが、本発明はこれらに限定されるものではなく、音楽再生機能つき携帯電話機１００側でランダムに選択するとしてもよい。
【０１０９】
なお、本実施の形態では、電子音楽配信による音楽データなどを音楽データ記録媒体１０５に記録して再生する場合を想定して説明したが、すでに述べたように、本発明はこれらに限定されるものではなく、例えば、音楽データ記録媒体１０５に、ユーザが独自に録音したり別途入手したりした環境音、例えば、会議中の会話や、川のせせらぎの音、駅のホームの雑踏などをファイル化して、上記音楽データに併せて記録しておき、それらのファイルをＢＧＭ再生しながら通話音とともに通話相手に送信させるようにしてもよい。これによって、本音楽再生機能つき携帯電話のユーザのみならず、通話相手も同時にムードのある会話を楽しむことができるという効果がある。
【０１１０】
なお、上記実施の形態では、音楽データをＢＧＭ再生する場合に、音量を所定の音量まで低減したが、本発明はこれらに限定されるものではなく、ＢＧＭ再生時においても、着信前の音量のまま、単に通話音にミキシングして再生するようにしてもよい。この場合、例えば、ユーザが音楽再生コントロールキー部９または音楽再生コントロールキー部１３の音量調節ボタンを操作して、ＢＧＭ再生音の音量を調節できるようにする。また、ＢＧＭ再生音の音量をユーザがあらかじめ設定できるようにしておいてもよい。
【０１１１】
なお、上記実施の形態では、着信があった場合には、着信に応じることを前提として、常に着信音を再生するとして説明したが、本発明はこれらに限定されるものではなく、通信相手に応じて、着信音を再生しないようにしておいてもよい。この場合、ユーザは、着信に応じるつもりのない相手の電話番号を電話帳格納領域３０１の電話番号３０８に登録しておき、その登録者の着信処理方法３０９に例えば、「０」を格納しておく。制御部１０３は、着信があったときに電話帳格納領域３０１を調べ、着信処理方法３０９が「０」であれば、何も処理を行わずに着信処理を終了する。これにより、着信音の再生が行われず、着信時に音楽データが再生されている場合でも、その音量が低減されたりしないので、ユーザは、相手の電話番号さえわかっていれば、その番号を登録し、着信処理方法３０９に「０」を格納しておくことによって、例えば、無言電話やいやがらせ電話、あるいはいやな相手からの電話などにわずらわされることなく音楽を楽しむことができるという効果がある。
【０１１２】
【発明の効果】
本発明の携帯電話機は、音楽再生機能を有する携帯電話機であって、記録媒体に記録されている音楽データを再生する再生手段と、外部からの着信を検出する着信検出手段と、着信音を出力する着信音出力手段と、前記再生手段が音楽データを再生中に前記着信検出手段が着信を検出したときには、再生中の音楽データをフェードアウト処理するよう前記再生手段に指示するとともに、着信音をフェードイン処理しながら出力するよう前記着信音出力手段に指示する制御手段とを備えることを特徴とする。上記のように、本発明の携帯電話機において、制御手段は、前記再生手段が音楽データを再生中に前記着信検出手段が着信を検出したときには、再生中の音楽データをフェードアウト処理するよう前記再生手段に指示するとともに、着信音をフェードイン処理しながら出力するよう前記着信音出力手段に指示する。
【０１１３】
従って、本発明の上記携帯電話機によれば、音楽再生中に着信があると再生中の音楽がフェードアウトされ、これとともに、着信音がフェードインされるので、音楽を鑑賞していたユーザにとっては着信音を聞き取りやすい上に、音楽鑑賞中に不意に着信があった場合でも、急激な音量変化や音楽の変化に戸惑うことなく着信を認識することができるので、快適に音楽鑑賞を楽しむことができるという効果がある。
【０１１４】
本発明の上記携帯電話機はさらに、あらかじめ登録されている通信先と、音楽データ再生中に着信があったときに、音楽データの再生を停止するか否かを通信先ごとに記述した着信時処理情報とが対応付けられたリストを格納する格納手段を備え、前記制御手段は、前記着信検出手段で検出された着信につき発信者である通信先を特定し、特定された通信先に対応する前記着信時処理情報に基づいて再生中の音楽データをフェードアウト処理した後に音楽データの再生を停止させる。
【０１１５】
従って、本発明の上記携帯電話機によれば、音楽データ再生中に着信があったときに、音楽データの再生を停止するか否かを、通信先に応じて選択することができる。例えば商談や複雑な内容の打ち合わせなどの相手には、音楽データのフェードアウト後に音楽データの再生を停止し、ユーザは通話に専念することができるという効果がある。
【０１１６】
また、本発明の上記携帯電話機において、前記制御手段はさらに、着信からの経過時間を計測する経過時間計測部を備え、前記着信検出手段が着信を検出してから所定の時間内に通話が開始されないときは、着信音をフェードアウト処理した後に出力を停止するよう前記着信音出力手段に指示するとともに、前記音楽データをフェードイン処理しながら再生するよう前記再生手段に指示する。
【０１１７】
従って、本発明の上記携帯電話機によれば、ユーザが着信に応じる意思のない場合や、すぐに応答しなくても、例えば携帯電話機の着信記録等を参照して後から電話をかけなおせばよい場合には、単に放置しておくことにより携帯電話機が自動的に着信前の状態に戻るので、ユーザがわざわざ入力部を操作して元の状態に戻す必要がなく、便利であるという効果がある。また、一定時間を経過すると無用な着信音の再生を停止するので、無駄なバッテリー消費を抑えることができるという効果がある。
【０１１８】
また、本発明の上記携帯電話機において、前記制御手段は、前記再生手段による音楽データのフェードアウト処理の終了後に、着信音のフェードイン処理を開始するよう前記着信音出力手段に指示する。
【０１１９】
従って、本発明の上記携帯電話機によれば、音楽データの再生音が着信音に重ならないので、着信音として着信メロディを使用した場合においても、ユーザは着信をよりはっきり確認することができるという効果がある。
【０１２０】
本発明の携帯電話機は、音楽再生機能を有する携帯電話機であって、記録媒体に記録されている音楽データを再生する再生手段と、通話音の出力と並行して、音楽データをバックグラウンドミュージックとして再生するよう前記再生手段に指示するＢＧＭ手段とを備える。すなわち、ＢＧＭ手段は、通話音の出力と並行して、記録媒体に記録されている音楽データをバックグラウンドミュージックとして再生するよう前記再生手段に指示する。
【０１２１】
従って、本発明の上記携帯電話機によれば、ユーザは、通話中においても、記録媒体に記録されている音楽データをバックグラウンドミュージックとして楽しむことができ、心地よく相手と会話をはずませることができるという効果がある。
【０１２２】
本発明の上記携帯電話機において、前記ＢＧＭ手段は、再生中の音楽データの再生音を所定の音量まで低減するよう前記再生手段に指示する。
【０１２３】
従って、本発明の上記携帯電話機によれば、ユーザは再生中の音楽を通話中にも継続して聴くことができる上、音量が低減されるので、会話の邪魔にならないように音楽を楽しむことができるという効果がある。
【０１２４】
また、本発明の上記携帯電話機はさらに、前記ＢＧＭ手段によって指示された前記再生手段による音楽データの再生音を、通話音とともに相手側に送信するＢＧＭ送信手段を備える。
【０１２５】
従って、本発明の上記携帯電話機によれば、通信の相手側も音楽データの再生音をバックグラウンドミュージックとして聞くことができ、ユーザは通信相手とともにムードのある会話を楽しむことができるという効果がある。
【０１２６】
また、本発明の上記携帯電話機において、前記ＢＧＭ手段は、前記再生手段が音楽データを再生していないときにおいて着信があり、それに対して通話が開始されたとき、通話音の出力と並行して所定の音楽データをバックグラウンドミュージックとして再生するよう再生手段に指示する。
【０１２７】
従って、本発明の上記携帯電話機によれば、音楽データを再生していないときに着信があった場合でも、通話中に所定の音楽データをバックグラウンドミュージックとして楽しむことができるという効果がある。
【０１２８】
また、本発明の上記携帯電話機はさらに、あらかじめ登録されている通信先と、音楽データを再生していないときに着信があった場合、通話中にバックグラウンドミュージックとして音楽データを再生するか否かを記述した通話中処理情報とが対応付けられたリストを格納する格納手段を備え、前記ＢＧＭ手段は、着信があった場合、その発信者である通信先を特定し、特定された通信先に対応する前記通話中処理情報に基づいて所定の音楽データを通話中にバックグラウンドミュージックとして再生するよう前記再生手段に指示する。
【０１２９】
従って、本発明の上記携帯電話機によれば、通信先に応じて、バックグラウンドミュージックの再生／非再生を使い分けることができる。例えば、親しい友達や家族などとの通信には所定の音楽データを通話中にバックグラウンドミュージックとして再生し、会社の上司や商談相手などとの通話中には音楽データを再生しないというように、相手に応じて、通話中に音楽データを再生するかしないかを選択することができるという効果がある。
【０１３０】
本発明の携帯電話機は、音楽再生機能を有する携帯電話機であって、記録媒体に記録されている音楽データを再生する再生手段と、前記再生手段の再生を一時停止する停止手段と、前記停止手段によって再生が停止された後の通話終了後に、所定の再生再開方法に基づいて、音楽データを再生することを前記再生手段に指示する制御手段とを備える。すなわち、停止手段は再生手段の再生を一時停止し、制御手段は前記停止手段によって再生が停止された後の通話終了後に、所定の再生再開方法に基づいて、音楽データを再生することを前記再生手段に指示する。
【０１３１】
従って、本発明の上記携帯電話機によれば、再生中の音楽が停止された後に通話が終了すると、所定の再生再開方法に基づいて自動的に音楽データが再生されるので、ユーザは、予期できないタイミングで音楽データの再生を停止された場合でも、その後の通話終了後に再び音楽鑑賞を続けることができるという効果がある。
【０１３２】
また、本発明の上記携帯電話機はさらに、１つ以上の再生再開方法を示す情報を格納しているレジューム方法格納手段を備え、前記制御手段は、前記レジューム方法格納手段に格納されている再生再開方法の１つを選択し、選択された再生再開方法に基づいて音楽データの再生開始位置を特定して、特定された再生開始位置から音楽データを再生することを前記再生手段に指示する。
【０１３３】
従って、本発明の上記携帯電話機によれば、多様な再生再開方法に基づいてレジュームを行うことができ、ユーザの多様なニーズにこたえることができるという効果がある。
【０１３４】
また、本発明の上記携帯電話機において、前記レジューム方法格納手段はさらに、音楽的に意味のある１つ以上の区切り箇所を示すレジューム位置情報を音楽データごとに格納するレジューム位置情報格納部を備え、前記再生再開方法は、停止時に再生されていた再生箇所の直前にある箇所であって前記レジューム位置情報に示される箇所から、停止時に再生されていた音楽データを再生する方法である。
【０１３５】
従って、本発明の上記携帯電話機によれば、再生中の音楽が停止された後に通話が終了すると、停止時に再生されていた再生箇所の直前にある各コーラスの先頭や小節の切れ目などの音楽的に意味のある区切り箇所から、音楽データが自動的に再生されるので、ユーザにとっては音楽的に意味のない箇所から再生を開始されるよりも、さらに快適に音楽鑑賞に戻ることができるという効果がある。
【０１３６】
また、本発明の上記携帯電話機はさらに、ユーザから指定された前記再生再開方法を記憶する再生再開方法記憶手段を備え、前記制御手段は、指定された前記再生再開方法に基づいて、音楽データを再生することを前記再生手段に指示する。
【０１３７】
従って、本発明の上記携帯電話機によれば、ユーザは、自分にとってより好ましい再生再開方法を選択しておくことによって、本発明の携帯電話機に、自分にとってより好ましいレジュームを実行させることができるという効果がある。
【図面の簡単な説明】
【図１】本発明の音楽再生機能つき携帯電話機１００の外観を示す図である。
【図２】図１の音楽再生機能つき携帯電話機１００の構成を示す機能ブロック図である。
【図３】図２の音楽データ記録媒体１０５に記録されるディジタル音楽データのデータ構造の一例を示す図である。
【図４】
図２の着信処理情報格納部１０７に格納される情報のデータ構造を示す図である。
【図５】
図４のレジューム情報格納領域３０３に格納される情報の一例を表す図である。
【図６】
音楽再生機能つき携帯電話１００が行うレジューム方法のうち、３通りのレジューム方法の例を示す図である。
【図７】
図６に示した３種類のレジュームパターンに対応する着信時再生位置情報３１２と再生再開位置のアドレスを示すレジューム位置情報との関係を具体的数値で表す図である。
【図８】
図２の音楽データ記録媒体１０５中のアクセスポイント２０８を利用した、レジュームパターン▲２▼の変形例に係るレジューム位置の特定方法の一例を示す図である。
【図９】
音楽データ再生中に着信があったときの制御部１０３の動作を示すフローチャートである。
【図１０】
着信時に音楽データの再生を停止していた場合に、通話終了後に音楽データの再生を再開する際の制御部１０３の動作を説明するフローチャートである。
【図１１】
音楽データを再生していないときに着信があった場合の制御部１０３の動作を示すフローチャートである。
【図１２】
着信時にユーザが所定時間内に応答した場合の音楽再生機能つき携帯電話１００の音楽データ再生音と着信音との音量変化を示すタイミングチャートである。
【図１３】着信時にユーザが所定時間Δｔ内に応答しなかった場合の音楽再生機能つき携帯電話１００の音楽データ再生音と着信音との音量変化を示すタイミングチャートである。
【図１４】電子音楽配信を利用した音楽データの取得／再生システムの一例を示す図である。
【符号の説明】
１        本体
２        コントローラ
３        ヘッドホン
４        液晶表示パネル
５        テンキー部
６        スピーカ
７        マイクロホン
８        記録媒体スロット
９        音楽再生コントロールキー部
１０      電話コントロールキー部
１１      アンテナ
１２      液晶表示パネル
１３      音楽再生コントロールキー部
１００    音楽再生機能つき携帯電話
１０１    入力部
１０２    表示部
１０３    制御部
１０４    音楽データ取出部
１０５    音楽データ記録媒体
１０６    再生部
１０７    着信処理情報格納部
１０８    通信部
１０９    着信音取出部
１１０    着信音格納部
２０１    曲データ格納領域
２０２    再生経路管理領域
２０３    曲データ
２０４    曲数
２０５    再生制御情報
２０６    ファイル名
２０７    アクセスポイント数
２０８    アクセスポイント
３０１    電話帳格納領域
３０２    着信処理方法格納領域
３０３    レジューム情報格納領域
３０４    レジューム方法格納領域
３０５    登録者数
３０６    登録者
３０７    登録者名
３０８    電話番号
３０９    着信処理方法
３１０    ＢＧＭファイル名
３１１    ファイル名
３１２    着信時再生位置情報
４０１    レジュームファイル名
４０２    着信時再生位置情報
５０１    曲頭
５０２    レジューム位置
５０３    着信点
６０１    レジュームパターン
６０２    着信時再生位置情報
６０３    レジューム位置情報
７０１    曲頭
７０２    第１着信点
７０３    第２着信点
７０４    第１アクセスポイント
７０５    第２アクセスポイント
７０６    第３アクセスポイント
７０７    第４アクセスポイント
１１０１    携帯電話機
１１０２    音楽再生プレーヤ
１１０３    記録媒体
【図１】
0003556194.tif 000002
【図２】
0003556194.tif 000003
【図３】
0003556194.tif 000004
【図４】
0003556194.tif 000005
【図５】
0003556194.tif 000006
【図６】
0003556194.tif 000007
【図７】
0003556194.tif 000008
【図８】
0003556194.tif 000009
【図９】
0003556194.tif 000010
【図１０】
0003556194.tif 000011
【図１１】
0003556194.tif 000012
【図１２】
0003556194.tif 000013
【図１３】
0003556194.tif 000014
【図１４】
0003556194.tif 000015